(57)【要約】【課題】  本発明は、広範囲に点在する滞留水を比較的小さなパワーで、四季を問わず誰にでも楽な姿勢で水に触れることなく、滞留水を効率よく押し流して吸収して保水し、そして保水した水を簡単に搾水できる構造にすることを課題としたものである。【解決手段】外周に円筒状の複数の保水体２を並べて設け、この保水体２は端部から中央部にかけて直径が大きくなっている保水体２であり、この保水体２の両側面と外周面を網状体で被った保水ユニット１を複数個隣と接触する状態で連設したパイプ３の両端に軸受け４、４を設け、この両軸受け４、４の間に軸５を掛け渡して吸水ローラー１１とし、この軸５の軸受け４、４より其々突出している両端の突出部１０、１０に、握り棒６の先端に取り付けた水平の横棒７の両端から垂下した垂下片９、９の先端を回動自在に軸支して配設したことである。【選択図】    図１
2006328832.tif 000002
【特許請求の範囲】
【請求項１】
外周に円筒状の保水体（２）の両側面と外周面を網状体で被った保水ユニット（１）を複数個隣と接触する状態で連設したパイプ（３）の両端に軸受け（４、４）を設け、この両軸受け（４、４）の間に軸（５）を掛け渡して吸水ローラー（１１）とし、この軸（５）の軸受け（４、４）より其々突出している両端の突出部（１０、１０）に、握り棒（６）の先端に取り付けた水平の横棒（７）の両端から垂下した垂下片（９、９）の先端を回動自在に軸支して配設したことを特徴とするローラー除水具。
【請求項２】
上記軸（５）の軸受け（４、４）より其々突出している両端の突出部（１０、１０）に、上記パイプ（３）の外径より大きく保水ユニット（１）の外径より小さな外径の車輪（１２、１２）を回転自在に設けて車輪付吸水ローラー（２１）としたことを特徴とする請求項１記載のローラー除水具。
【請求項３】
外周に円筒状の保水体（２）の両側面と外周面を網状体で被った保水ユニット（１）を複数個隣と接触する状態で連設したパイプ（３）の両端に、このパイプ（３）の外径より大きく保水ユニット（１）の外径より小さな外径の車輪（１３、１３）をパイプ（３）の両端面に嵌合するようにして設け、この車輪（１３、１３）の中心に軸（５）を設けてパイプ固定車輪付吸水ローラー（２２）とし、この軸（５）より其々突出している両端の突出部（１０、１０）に、握り棒（６）の先端に取り付けた水平の横棒（７）の両端から垂下した垂下片（９、９）の先端を回動自在に軸支して配設したことを特徴とするローラー除水具。
【請求項４】
上記吸水ローラー（１１）を平行に複数本間隔を空けて並べ、上記軸（５、５・・・）の軸受け（４、４・・・）より其々突出している両端の突出部（１０、１０・・・）をローラー接続板（８、８）で接続し、このローラー接続板（８、８）の一箇所に、握り棒（６）の先端に取り付けた水平の横棒（７）の両端から垂下した垂下片（９、９）の先端を回動自在に軸支して配設したことを特徴とする請求項１記載のローラー除水具。
【請求項５】
上記車輪付吸水ローラー（２１）を平行に複数本間隔を空けて並べ、上記軸（５、５・・・）の車輪（１２、１２・・・）より其々突出している両端の突出部（１０、１０・・・）をローラー接続板（８、８）で接続し、このローラー接続板（８、８）の一箇所に、握り棒（６）の先端に取り付けた水平の横棒（７）の両端から垂下した垂下片（９、９）の先端を回動自在に軸支して配設したことを特徴とする請求項２記載のローラー除水具。
【請求項６】
上記パイプ固定車輪付吸水ローラー（２２）を平行に複数本間隔を空けて並べ、上記軸（５、５・・・）の車輪（１３、１３・・・）より其々突出している両端の突出部（１０、１０・・・）をローラー接続板（８、８）で接続し、このローラー接続板（８、８）の一箇所に、握り棒（６）の先端に取り付けた水平の横棒（７）の両端から垂下した垂下片（９、９）の先端を回動自在に軸支して配設したことを特徴とする請求項３記載のローラー除水具。
【請求項７】
上記ローラー接続板（８、８）と上記垂下片（９、９）が固定して接続されていて、垂下片（９、９）と上記横棒（７）とが回動自在に軸支されているか、又はローラー接続板（８、８）と垂下片（９、９）と横棒（７）が固定されていて、横棒（７）と握り棒（６）とが回動自在に軸支されていることを特徴とする請求項４〜６にいずれかに記載のローラー除水具。
【請求項８】
上記連接した保水ユニット（１、１・・・）の各々の保水ユニット（１）の直径が変っているか或いは形状が変形していることを特徴とする請求項１〜６のいずれかに記載のローラー除水具。
【請求項９】
上記連接した保水ユニット（１、１・・・）の代わりに細長い円筒状の保水体（２）であって、両端から中央部に徐々に円筒状の径を大きくしてロング保水体（１８）とし、このロング保水体（１８）の両側面と外周面を網状体で被って変形吸水ローラー（２０）とし、この変形吸水ローラー（２０）を上記パイプ（３）の外周に配設したことを特徴とする請求項１〜６のいずれかに記載のローラー除水具。
【発明の詳細な説明】
【技術分野】
【０００１】
本発明は、野球場、サッカー場、スポーツグランド、テニスコート、ゴルフ場、路面、建設現場のコンクリート上、水槽等の滞留水を除水する方法に関するものである。
【背景技術】
【０００２】
従来、滞留水を除水する方法としては、細長い長方形のゴムを立てたものに取手を取り付けた用具やゴム製のローラーで滞留水を押し流して排水場所に除水している。実願平６−４７３０号のドラムの外周にスポンジを取り付け、圧縮用ゴムローラーによって水を搾り出してタンクに溜める形式のものは装置が大きくて重量も重く、水の回収量も比較的少なくスポンジの交換に時間を要するものである。実願平６−４７３０号の握り棒の先端に取り付けたコ字状の枠に吸水性の円筒状のスポンジを支持させた吸水ローラーは、吸水体に水を吸収させた後、その吸水体を立てにして押子部材を軸方向に圧縮させることによって排水させるものである。また出願人が先に特願２００２−２２２４９０号では吸収した水を加圧体に足を乗せて排水することができる吸排水ローラーを提案しているが、排水時にローラーを上方から圧縮するため、ローラーが楕円形に変形してスムーズに回転することが出来なくなる問題点がある。
【０００３】
【特許文献１】実願平５−１２６０３号
【特許文献２】実願平６−４７３０号
【特許文献３】特願２００２−２２２４９０号
【発明の開示】
【発明が解決しようとする課題】
【０００４】
野球場、サッカー場、スポーツグランド、テニスコート、ゴルフ場、路面、建設現場のコンクリート上、水槽等の滞留水の中には１０ｃｍ位の深い部分も存在し除水量は想像以上に多く、人手によって運ぶには大変重いものである。特に冬期の作業は水が冷たいため敬遠される作業である。短時間に最も簡単に滞留水を除水する方法としては、近くの側溝や排水場所に水を押し流していく方法である。円筒形の一体型のローラーは空気が抜け難く凹凸の多い地面には適さないので、地面の凹凸に影響されずに前方へ水を逃がさずに押し続けることが出来る構造のもであり、複数のユニット、複数のローラーを取り付けた構造である事が必要である。またローラー本体が水を吸収して保水できる素材であり、保水の状態を持続し保水量が多い事も大切である。そして吸収した水を簡単に排水できる構造でなければならない。
【０００５】
本発明は、広範囲に点在する滞留水を比較的小さなパワーで、四季を問わず誰にでも楽な姿勢で水に触れることなく、滞留水を効率よく押し流して吸収して保水し、そして保水した水を簡単に搾水できる構造にすることを課題としたものである。
【課題を解決するための手段】
【０００６】
本発明の請求項１記載のローラー除水具（以下、本発明１という）は、外周に円筒状の保水体２の両側面と外周面を網状体で被った保水ユニット１を複数個隣と接触する状態で連設したパイプ３の両端に軸受け４、４を設け、この両軸受け４、４の間に軸５を掛け渡して吸水ローラー１１とし、この軸５の軸受け４、４より其々突出している両端の突出部１０、１０に、握り棒６の先端に取り付けた水平の横棒７の両端から垂下した垂下片９、９の先端を回動自在に軸支して配設したことを特徴としている。
【０００７】
本発明１で言う隣と接触する状態とは保水ユニット１、１・・・を回転させた時に保水ユニット１の間が接触している状態になることである。保水体２の材質としては滞留水を吸収して保水するものであれば良くスポンジ、吸水性のある布、糸など網状体で被うことが出来るものであり、パイプ３の外周に設けることが出来るものである。網状体は通水性のあるメッシュ、不織布など薄いものを言う。軸５を両端の軸受け４、４部分の長さだけにして垂下片９、９の先端に設けることも出来る。
【０００８】
かかる構成により、図１に示すように本発明１の握り棒６を持ち吸水ローラー１１で滞留水１５の中を押し流すようにして回転させた場合、吸水ローラー１１の複数の保水ユニット１、１・・・の外周面と両側面に網状体を被せて生じた複数の隙間１７、１７・・・から滞留水１５を吸収し保水することが出来るものである。
【０００９】
本発明の請求項２記載のローラー除水具（以下、本発明２という）は、上記軸５の軸受け４、４より其々突出している両端の突出部１０、１０に、上記パイプ３の外径より大きく保水ユニット１の外径より小さな外径の車輪１２、１２を回転自在に設けて車輪付吸水ローラー２１としたことを特徴としている。
【００１０】
かかる構成により、図４に示すように本発明２の握り棒６を持ち車輪付吸水ローラー２１で滞留水１５の中を押し流すようにして回転させた場合、複数の保水ユニット１、１・・・の外周面と両側面に網状体を被せて生じた複数の隙間１７、１７・・・から滞留水１５を吸収し、柔軟になった保水ユニット１、１・・・が変形するのを回動自在に設けた車輪１２、１２によって制限して保水ユニット１、１・・・で保水することが出来るものである。
【００１１】
本発明の請求項３記載のローラー除水具（以下、本発明３という）は、外周に円筒状の保水体２の両側面と外周面を網状体で被った保水ユニット１を複数個隣と接触する状態で連設したパイプ３の両端に、このパイプ３の外径より大きく網状保水体１の外径より小さな外径の車輪１３、１３をパイプ３の両端面に嵌合するようにして設け、この車輪１３、１３の中心に軸５を設けてパイプ固定車輪付吸水ローラー２２とし、この軸５より其々突出している両端の突出部１０、１０に、握り棒６の先端に取り付けた水平の横棒７の両端から垂下した垂下片９、９の先端を回動自在に軸支して配設したことを特徴としている。
【００１２】
かかる構成により、図４に示すように本発明３の握り棒６を持ちパイプ固定車輪付ローラー２２で滞留水１５の中を押し流すようにして回転させた場合、複数の保水ユニット１、１・・・の外周面と両側面に網状体を被せて生じた複数の隙間１７、１７・・・から滞留水１５を吸収し、柔軟になった保水ユニット１、１・・・が変形するのを回動自在に設けた車輪１３、１３によって制限して保水ユニット１、１・・・に保水することが出来るものである。
【００１３】
本発明の請求項４記載のローラー除水具（以下、本発明４という）は、上記吸水ローラー１１を平行に複数本間隔を空けて並べ、上記軸５、５・・・の軸受け４、４・・・より其々突出している両端の突出部１０、１０・・・をローラー接続板８、８で接続し、このローラー接続板８、８の一箇所に、握り棒６の先端に取り付けた水平の横棒７の両端から垂下した垂下片９、９の先端を回動自在に軸支して配設したことを特徴としている。
【００１４】
かかる構成により、図７に示すように本発明４の握り棒６を持ち複数の吸水ローラー１１、１１・・・で滞留水１５の中を押し流すようにして回転させた場合、回動部１６が回動することによって握り棒６を持つ角度が変わり滞留水１５の中の保水ユニット１、１・・・を地面に押し付けて密着させることが出来るので、複数の吸水ローラー１１、１１・・・の複数の保水ユニット１、１・・・の外周面と両側面に網状体を被せて生じた複数の隙間１７、１７・・・から多量の滞留水１５を吸収し保水することが出来るものである。
【００１５】
本発明の請求項５記載のローラー除水具（以下、本発明５という）は、上記車輪付吸水ローラー２１を平行に複数本間隔を空けて並べ、上記軸５、５・・・の車輪１２、１２・・・より其々突出している両端の突出部１０、１０・・・をローラー接続板８、８で接続し、このローラー接続板８、８の一箇所に、握り棒６の先端に取り付けた水平の横棒７の両端から垂下した垂下片９、９の先端を回動自在に軸支して配設したことを特徴としている。
【００１６】
かかる構成により、図８に示すように本発明５の握り棒６を持ち複数の車輪付吸水ローラー２１、２１・・・で滞留水１５の中を押し流すようにして回転させた場合、回動部１６が回動することによって握り棒６を持つ角度が変わり滞留水１５の中の保水ユニット１、１・・・を地面に押し付けて密着させることが出来るので、複数の車輪付吸水ローラー２１、２１・・・の複数の保水ユニット１、１・・・の外周面と両側面に網状体を被せて生じた複数の隙間１７、１７・・・から多量の滞留水１５を吸収し保水することが出来るものである。
【００１７】
本発明の請求項６記載のローラー除水具（以下、本発明６という）は、上記パイプ固定車輪付吸水ローラー２２を平行に複数本間隔を空けて並べ、上記軸５、５・・・の車輪１３、１３・・・より其々突出している両端の突出部１０、１０・・・をローラー接続板８、８で接続し、このローラー接続板８、８の一箇所に、握り棒６の先端に取り付けた水平の横棒７の両端から垂下した垂下片９、９の先端を回動自在に軸支して配設したことを特徴としている。
【００１８】
かかる構成により、図８に示すように本発明６の握り棒６を持ち複数のパイプ固定車輪付ローラー２２、２２・・・で滞留水１５の中を押し流すようにして回転させた場合、回動部１６が回動することによって握り棒６を持つ角度が変わり滞留水１５の中の保水ユニット１、１・・・を地面に押し付けて密着させることが出来るので、複数のパイプ固定車輪付ローラー２２、２２・・・の複数の保水ユニット１、１・・・の外周面と両側面に網状体を被せて生じた複数の隙間１７、１７・・・から多量の滞留水１５を吸収し保水することが出来るものである。
【００１９】
本発明の請求項７記載のローラー除水具（以下、本発明７という）は、上記ローラー接続板８、８と上記垂下片９、９が固定して接続されていて、垂下片９、９と上記横棒７とが回動自在に軸支されているか、又はローラー接続板８、８と垂下片９、９と横棒７が固定されていて、横棒７と握り棒６とが回動自在に軸支されていることを特徴としている。
【００２０】
かかる構成により、図９に示すように本発明７の握り棒６を持ち吸水ローラー１、１・・・又は車輪付吸水ローラー２１、２１・・・又はパイプ固定車輪付吸水ローラー２２、２２・・・で滞留水１５の中を押し流すようにして回転させた場合、回動部１６が回動することによって握り棒６を持つ角度が変わり滞留水１５の中の保水ユニット１、１・・・を地面に押し付けて密着させることが出来るので、複数の保水ユニット１、１・・・の外周面と両側面に網状体を被せて生じた隙間１７から滞留水１５を吸収し保水することが出来るものである。
【００２１】
本発明の請求項８記載のローラー除水具（以下、本発明８という）は、上記連接した保水ユニット１、１・・・の各々の保水ユニット１の直径が変っているか或いは形状が変形していることを特徴としている。
【００２２】
本発明８で言う形状が変形している状態とは図１１に示すように保水体２の形状が円錐台や外周が緩やかに湾曲している状態を言う。そして変形した形状に網状体を被せて一個の保水ユニット１としている。
【００２３】
かかる構成により、図１０に示すように本発明８の握り棒６を持ち吸水ローラー１１、１１・・・又は車輪付吸水ローラー２１、２１・・・又はパイプ固定車輪付ローラー２２、２２・・・で滞留水１５の中を押し流すようにして回転させた場合、直径の大きな中央部を滞留水１５の最も深い部分に密着させることが出来るので、複数の保水ユニット１、１・・・の外周面と両側面に網状体を被せて生じた隙間１７から滞留水１５を吸収し保水することが出来るものである。
【００２４】
本発明の請求項９記載のローラー除水具（以下、本発明９という）は、上記連接した保水ユニット１、１・・・の代わりに細長い円筒状の保水体２であって、両端から中央部に徐々に円筒状の径を大きくしてロング保水体１８とし、このロング保水体１８の両側面と外周面を網状体で被って変形吸水ローラー２０とし、この変形吸水ローラー２０を上記パイプ３の外周に配設したことを特徴としている。
【００２５】
本発明９で言う両端から中央部に徐々に円筒状の径を大きくしてとは、円錐台か緩やかに湾曲した形状にしたものである。そしてロング保水体１８は一体成型したものか又は分割して成型したものを複数個設けたものでも良い。
【００２６】
かかる構成により、図１４に示すように本発明９の握り棒６を持ち変形吸水ローラー２０を滞留水１５の中を押し流すようにして回転させた場合、ロング保水体１８の直径の大きな中央部を滞留水１５の中の深い窪みに強い押し圧１９で密着させた後の強い吸水力によってロング保水体１８の外周面から多量の滞留水１５を吸収し保水することが出来るものである。
【発明の効果】
【００２７】
本発明１の効果として、図１に示すように本発明１の吸水ローラー１１を窪みに溜まっている滞留水１５の中に押し付けるようにして転がした場合、保水ユニット１、１・・・を連設することによって、図３に示すようにそれぞれの短い保水ユニット１は圧縮し易く窪みの深さに応じて窪みの底に密着させることが出来る。そしてそれぞれの保水ユニット１の側面と隣の保水ユニット１の側面との間に網状体によって生じた複数の隙間１７、１７・・・から空気、水の流出入が容易となり多量の滞留水１５を吸収して保水量を増やすことが出来るものである。
【００２８】
本発明２の効果として、図４に示すように本発明２の握り棒１を持ち軸受け４、４の外側に車輪１２、１２を設けた車輪付吸水ローラー２１を窪みに溜まっている滞留水１５の中に押し付けるようにして転がした場合、複数の保水ユニット１、１・・・は車輪１２、１２の外径より内側に圧縮されることはなく、車輪１２、１２の外径より外側に突出している部分の弾力性によって窪みの底の形に密着して、図３に示すように保水ユニット１、１・・・を連設することによって、それぞれの短い保水ユニット１は単独で圧縮し易く窪みの深さに応じて窪みの底に密着させることが出来る。そしてそれぞれの保水ユニット１の側面と隣の保水ユニット１の側面との間に網状体によって生じた複数の隙間１７、１７・・・から空気、水の流出入が容易となり多量の滞留水１５を吸収して保水量を増やすことが出来るものである。
【００２９】
本発明３の効果として、図４に示すように本発明３の握り棒１を持ちパイプ３の両端面に車輪１３、１３を嵌合させて設けたパイプ固定車輪付ローラー２２を窪みに溜まっている滞留水の中に押し付けるようにして転がした場合、保水ユニット１は車輪１３、１３の外径より内側に圧縮されることはなく、車輪１３、１３の外径より外側に突出している部分の弾力性によって窪みの形に密着して、図３に示すように保水ユニット１、１・・・を連設することによって、それぞれの短い保水ユニット１は単独で圧縮し易く窪みの深さに応じて窪みの底に密着させることが出来る。そしてそれぞれの保水ユニット１の側面と隣の保水ユニット１の側面との間に網状体によって生じた複数の隙間１７、１７・・・から空気、水の流出入が容易となり多量の滞留水１５を吸収して保水量を増やすことが出来るものである。
【００３０】
本発明４の効果として、図７に示すように本発明４の複数の吸水ローラー１１、１１・・・のローラー接続板８、８に設けた回動部１６によって握り棒６を持つ角度を上下方向に自由に変えることが出来るので、窪みに溜まっている滞留水１５の中に押し付けるようにして転がした場合、複数の保水ユニット１、１・・・の弾力性によって窪みの形に密着して、図３に示すようにそれぞれの保水ユニット１の側面と隣の保水ユニット１の側面との間に網状体によって生じた複数の隙間１７、１７・・・から空気、水の流出入が容易となり多量の滞留水１５を吸収して保水量を増やすことが出来るものである。
【００３１】
本発明５の効果として、図８に示すように本発明５の複数の車輪付吸水ローラー２１、２１・・・のローラー接続板８、８と握り棒６との間に設けた回動部１６によって握り棒６を持つ角度を上下方向に自由に変えることが出来るので、窪みに溜まっている滞留水１５の中に押し付けるようにして転がした場合、保水ユニット１は車輪１２、１２・・・の外径より内側に圧縮されることはなく、車輪１２、１２・・・の外径より外側に突出している部分の弾力性によって窪みの形に密着して、図３に示すようにそれぞれの保水ユニット１の側面と隣の保水ユニット１の側面との間に網状体によって生じた複数の隙間１７、１７・・・から空気、水の流出入が容易となり多量の滞留水１５を吸収して保水量を増やすことが出来るものである。
【００３２】
本発明６の効果として、図８に示すように本発明６の複数のパイプ固定車輪付ローラー２２、２２・・・のローラー接続板８、８と握り棒６との間に設けた回動部１６によって握り棒６を持つ角度を上下方向に自由に変えることが出来るので、窪みに溜まっている滞留水１５の中に押し付けるようにして転がした場合、保水ユニット１は車輪１３、１３・・・の外径より内側に圧縮されることはなく、車輪１３、１３・・・の外径より外側に突出している部分の弾力性によって窪みの形に密着して、図３に示すようにそれぞれの保水ユニット１の側面と隣の保水ユニット１の側面との間に網状体によって生じた複数の隙間１７、１７・・・から空気、水の流出入が容易となり多量の滞留水１５を吸収して保水量を増やすことが出来るものである。
【００３３】
本発明７の効果として、図９に示すように本発明７の複数の吸水ローラー１１、１１・・・又は複数の車輪付吸水ローラー２１、２１・・・又は複数のパイプ固定車輪付ローラー２２、２２・・・を接続したローラー接続板８、８と握り棒６との間に設けた回動部１６によって握り棒６を持つ角度を上下方向に自由に変えることが出来るので、窪みに溜まっている滞留水１５の中に押し付けるようにして転がした場合、複数の保水ユニット１、１・・・は弾力性によって窪みの形に密着して、図３に示すようにそれぞれの保水ユニット１の側面と隣の保水ユニット１の側面との間に網状体によって生じた複数の隙間１７、１７・・・から空気、水の流出入が容易となり多量の滞留水１５を吸収して保水量を増やすことが出来るものである。
【００３４】
本発明８の効果として、図１０、図１１、図１２に示すように本発明８の中央部の保水ユニット１の直径を大きくし、両端部に近い保水ユニット１の直径を小さくしたローラーを窪みに溜まっている滞留水１５の中に押し付けるようにして転がした場合、深い窪みの底に対して強い押し圧１９で密着させることが出来るので、吸水力が増大し保水ユニット１の外周面と隣の側面との間に網状体によって生じた複数の隙間１７、１７・・・から空気、水の流出入が容易となり多量の滞留水１５を吸収して保水量を増やすことが出来るものである。
【００３５】
本発明９の効果として、図１４に示すように本発明９の変形吸水ローラー２０を窪みに溜まっている滞留水１５の中に押し付けるようにして転がした場合、図１５に示すように中央部の直径が大きいロング保水体１８は深い窪みの底に強い押し圧１９で密着させることが出来るので、強い押し圧１９で押した後の中央部の直径が大きいロング保水体１８は空気、水の流出入の量が多くなり滞留水１５を吸収し易く保水量を増やすことが出来るものである。
【発明を実施するための最良の形態】
【００３６】
外周に円筒状の直径の大きさを変えているか又は形状が変形している状態で保水体２の両側面と外周面を網状体で被った保水ユニット１、１・・・を隣と接触する状態で設けたパイプ３の両端に、このパイプ３の外径より大きく保水ユニット１の外径より小さな外径の車輪１３、１３をパイプ３の両端面に嵌合するようにして設け、この車輪１３、１３の中心に軸５を設けたパイプ固定車輪付ローラー２２を平行に複数本間隔を空けて並べ、上記軸５、５・・・の車輪１３、１３・・・より其々突出している両端の突出部１０、１０・・・をローラー接続板８、８で接続し、このローラー接続板８、８の一箇所に、握り棒６の先端に取り付けた水平の横棒７の両端から垂下した垂下片９、９の先端を回動自在に軸支して配設したことである。
【実施例１】
【００３７】
実施の形態の一例として、図１は本発明１の斜視図であり、図２は図１のA−A部分縦断面図であり、図３は説明図である。外周に円筒状の保水体２の両側面と外周面を網状体で被った保水ユニット１を複数個隣と接触する状態で連設したパイプ３の両端に軸受け４、４を設け、この両軸受け４、４の間に軸５を掛け渡して吸水ローラー１１とし、この軸５の軸受け４、４より其々突出している両端の突出部１０、１０に、握り棒６の先端に取り付けた水平の横棒７の両端から垂下した垂下片９、９の先端を回動自在に軸支して配設したことで構成されている。
【００３８】
本発明１は図２に示すように吸水ローラー１１のパイプ３の両端に設けた軸受け４、４の中心に軸５を設けることによって、複数の保水ユニット１、１・・・自体には軸５との間の回転による摩耗部分はなく長期間に亘り滞留水１５の中を安定して回転させることが出来る。そして円筒状の保水体２、２・・・の両側面と外周面を網状体で被った保水ユニット１、１・・・を隣と軽く接触させる状態にして設けたことによって図３に示すように保水ユニット１の側面と隣接する側面の間には二枚の網状体によって隙間１７が生じるので、この隙間１７からの保水体２を圧縮した時に出る空気と吸排水する水の流出入を容易にさせて、滞留水１５を吸収する面積も大きくなり保水量を増やすことが出来る。また網状体は滞留水１５を吸収する時に地面や路面のゴミ、砂、小石などの進入を阻止し保水体２の目詰まりを防止することや外周面の摩耗を防ぐことが出来る。
【００３９】
本発明１を使用して除水する方法は滞留水の量によって異なる。滞留水１５の量が少なく点在している場合は、握り棒６を持ち押していくか引っ張りながら滞留水１５の中を移動させるだけで吸水ローラー１１の保水ユニット１、１・・・で吸収して保水させることが出来る。そして本発明１を別の滞留水１５の場所に移動して行く間に、保水していた水は滞留水１５のない乾いた地面に徐々に流れ出るので、自然に蒸発することを利用することになり、再び滞留水１５を吸収させることが出来る。これらの作業を繰り返すことによって効率的に除水作業をすることが出来る。滞留水１５の存在する状況に応じて吸水ローラー１１を前後動させて吸水させたり、押しながら移動して吸水させたり、滞留水１５だけを押し流すことも出来る。
【００４０】
また滞留水１５の量が多い場合は、握り棒６を地面に強く押さえながら滞留水１５の中を回転させると吸水ローラー１１の保水ユニット１、１・・・は水を吸収して柔軟になり水の重さにより変形することになる。この変形した状態は地面に密着する面積が大きくなるので、吸水ローラー１１で側溝まで押し流して除水するか、滞留水のない別の広い地面に水を押し流して自然に蒸発させることが出来る。
【００４１】
本発明１の吸水ローラー１１で吸収した水が保水体２、２・・・内に保水している状態は、保水体２、２・・・内の滞留水が地面に残っている量によって変わる。地面に滞留水１５が残っている場合は、回転を続けることによって保水体２、２・・・内の水の吸水量と流出量が同量になり、保水量を最大に保つことが出来る。滞留水１５が地面に残っていない場合は、保水体２自体の可能な保水量以外は自然に流れ出すことになる。吸収した保水体２、２・・・内に溜まっている水は常に下に流れ落ちようとしているので、保水体２、２・・・の最下部で吸収した水を保水するためには、保水体２、２・・・の最下部に落ちてきた水を保水体２、２・・・から外に流れ出る前に適当な回転をさせる必要がある。
【００４２】
本発明１の排水法としては、水を吸収した状態で握り棒６を持ち吸水ローラー１１を立てることによって保水していた水は保水体２、２・・・の中を下方に流れ落ちると同時に保水ユニット１、１・・・も水の重さで下方に下がる。これは水の重量が保水ユニット１、１・・・より重いためであり、この状態の保水ユニッ１、１・・・を上から手で押さえることによって水を簡単に搾り出すことが出来る。底面に複数の貫通穴を設けた吸水ローラー１１の入る容器の下面にバケツが入る高さの４本の足を取り付け、この容器の上に本発明１の吸水ローラー１１を立てて乗せ、保水ユニット１、１・・・だけを上から押さえてバケツの中に搾水し、そのバケツを排水場所まで運ぶ方法もある。水の冷たい時期にはゴム手袋をはめて行えば簡単に出来る。そして立てていた吸水ローラー１１を元の水平に戻して再び回転させる時には複数の短い保水ユニット１、１・・・になっているので全体に広がり易い。
【００４３】
実施の形態の一例として、本発明１の握り棒６は直径３ｃｍの長さ１ｍ５０ｃｍの木製のもので、横棒７は厚み１．２ｍｍの２．５ｃｍ×３．２ｃｍの角パイプを使用し長さは９７０ｃｍである。パイプ３は外径６ｃｍ、厚み２ｍｍ、長さ９３ｃｍの材質は塩ビ製であるがステンレス製でも良い。保水体２は外径１７ｃｍ、内径６ｃｍ、長さ１８ｃｍのウレタン系のスポンジであり、この保水体２の外周面と両側面に網状体としてポリエステル、ナイロンなどの合成繊維を被せたものが保水ユニット１である。本発明１の吸水ローラー１１はこの保水ユニット１を５個連設したものである。軸受け４、４の材質は日本ポリペンコのエンジニアリングプラスチックＭＣ−Ｅナイロン製車輪の直径６．５ｃｍをパイプ３の内径に合わせて加工して取り付け、軸６は直径１．２ｃｍの厚み１ｍｍのステンレスのパイプを使用している。上記のように製作した吸水ローラー１１でグランドに点在する滞留水の中に握り棒６を押さえながら回転させたところ、サッカーの試合後の荒れた地面の滞留水１５も保水ユニット１、１・・・で綺麗に吸い取ることが出来た。握り棒６の他の材質として、ステンレス、鉄、アルミ、合成樹脂などパイプで握り易いものが良い。横棒７の他の材質としては鉄、合成樹脂、アルミなど保水体２を地面に押し付けるだけの強度があれば良い。
【実施例２】
【００４４】
実施の形態の一例として、図４（本発明３と外観は同一である）は本発明２の斜視図であり、図５は図４のB−Bの部分縦断面図である。上記軸５の軸受け４、４より其々突出している両端の突出部１０、１０に、上記パイプ３の外径より大きく保水ユニット１の外径より小さな外径の車輪１２、１２を回転自在に設けて車輪付吸水ローラー２１としたことで構成されている。
【００４５】
実施の形態の一例として、本発明２は図４に示すように外周に円筒状の保水体２の両側面と外周面に網状体を被せた円筒状の複数の保水ユニット１、１・・・を設けたパイプ３の両端に軸受け４、４を設け、この軸受け４、４の外側に車輪１２、１２・・・を設けたものであり、握り棒６の先端に取り付けた水平の横棒７の両端から垂下した垂下片９、９に軸５を回動自在にして軸支しているものである。本発明２の握り棒６を持って地面に強く押さえながら滞留水１５の中を回転させた場合、車輪１２、１２と保水ユニット１、１・・・は別の回転をする。そして図５に示すように保水ユニット１、１・・・は車輪１２、１２の外径より内側に圧縮させることはなく、保水ユニット１、１・・・の特性である弾力性によって一定の押し圧で地面１４に密着することになるので、様々な窪みの地形に柔軟に対応して滞留水１５を窪みから取り除く事が出来る。車輪付吸水ローラー２１を前後動させて吸水させたり、押しながら移動して吸収させたり、滞留水１５だけを押し流すことも出来る。
【００４６】
実施の形態の一例として本発明２は軸受け４、４の外側に回転自在に車輪１２、１２・・・を設けた点が構造的に実施例１とは異なっているが、吸水ローラー１１の各部位の寸法、材質等は実施例１と同一である。車輪１２、１２の材質は日本ポリペンコのエンジニアリングプラスチックＭＣ−Ｅナイロンの外径１０ｃｍのものを使用している。実施例２はこのように構成されているので、長期間使用しても保水ユニット１には車輪１２、１２の直径より内側に変形しないので、劣化し難く耐久性にも優れている。この車輪付吸水ローラー２１の保水ユニット１を交換する時には一方の垂下片９を取り外せるようにして取り付け、車輪１２を外しパイプ３から保水ユニット１、１・・・を外して交換すれば良い。
【実施例３】
【００４７】
実施の形態の一例として、図４（本発明２と外観は同一である）は本発明３の斜視図であり、図６は図４のC−Cの部分縦断面図である。外周に円筒状の保水体２の両側面と外周面を網状体で被った保水ユニット１を複数個隣と接触する状態で連設したパイプ３の両端に、このパイプ３の外径より大きく網状保水体１の外径より小さな外径の車輪１３、１３をパイプ３の両端面に嵌合するようにして設け、この車輪１３、１３の中心に軸５を設けてパイプ固定車輪付吸水ローラー２２とし、この軸５より其々突出している両端の突出部１０、１０に、握り棒６の先端に取り付けた水平の横棒７の両端から垂下した垂下片９、９の先端を回動自在に軸支して配設したことで構成されている。
【００４８】
実施の形態の一例として、図６に示しているように外周に円筒状の複数の保水ユニット１、１・・・設けパイプ３の両端に車輪１３、１３を嵌合して設けているので、車輪１３、１３と保水ユニット１、１・・・は同時に回転する。このパイプ固定車輪付ローラー２２を、握り棒６の先端に取り付けた水平の横棒７の両端から垂下した垂下片９、９に回転自在にして軸支している。本発明３は車輪１３、１３を嵌合して設けている点が構造的に実施例２とは異なっているが、各部位の寸法、材質、使用方法等は実施例２と同様である。実施例３はこのように構成されているので、この保水ユニット１を交換する時には一方の垂下片９を外し、嵌合している車輪１３を外して保水ユニット１を交換すれば良い。
【実施例４】
【００４９】
実施の形態の一例として、図７は本発明４の斜視図である。上記吸水ローラー１１を平行に複数本間隔を空けて並べ、上記軸５、５・・・の軸受け４、４・・・より其々突出している両端の突出部１０、１０・・・をローラー接続板８、８で接続し、このローラー接続板８、８の一箇所に、握り棒６の先端に取り付けた水平の横棒７の両端から垂下した垂下片９、９の先端を回動自在に軸支して配設したことで構成されている。
【００５０】
本発明４は図７に示すように、吸水ローラー１１を平行に複数本間隔を空けて並べ、軸５、５・・・の突出部１０、１０・・・をローラー接続板８、８で接続し、このローラー接続板８、８の一箇所に、握り棒６の先端に取り付けた水平の横棒７の両端から垂下した垂下片９、９に回転自在にして軸支している。この本発明４の握り棒６を持って地面に強く押さえながら滞留水１５の中を回転させた場合、最前方の吸水ローラー１１の保水ユニット１、１・・・から水を吸収して保水するが、吸収されずに側面から後方に流れた滞留水１５は二番目の吸水ローラー１１の保水ユニット１、１・・・によって吸収して保水することが出来る。このように複数の吸水ローラー１１、１１・・・を設けることによって滞留水１５の吸水量を多くして保水させて除水することが出来る。
【００５１】
実施の形態の一例として、ローラー接続具８、８は幅３．２ｃｍ、厚み４ｍｍで吸水ローラー１１が二本の場合の長さは２２ｃｍ、三本の場合の長さは４０ｃｍありステンレス製である。本発明４は吸水ローラー１１を平行に複数本間隔を空けて並べて設けている点が構造的に実施例１とは異なっているが、吸水ローラー１１の各部位の寸法、材質、使用方法等は実施例１と同様である。
【実施例５】
【００５２】
実施の形態の一例として、図８（本発明６と外観は同一である）は本発明５の説明図である。上記車輪付吸水ローラー２１を平行に複数本間隔を空けて並べ、上記軸５、５・・・の車輪１２、１２・・・より其々突出している両端の突出部１０、１０・・・をローラー接続板８、８で接続し、このローラー接続板８、８の一箇所に、握り棒６の先端に取り付けた水平の横棒７の両端から垂下した垂下片９、９の先端を回動自在に軸支して配設したことで構成されている。
【００５３】
本発明５は図８に示すように、車輪付吸水ローラー２１を平行に複数本間隔を空けて並べ、軸５、５・・・の突出部１０、１０・・・をローラー接続板８、８で接続し、このローラー接続板８、８の一箇所に、握り棒６の先端に取り付けた水平の横棒７の両端から垂下した垂下片９、９に回転自在にして軸支している。この本発明５の握り棒６を持って地面に強く押さえながら滞留水１５の中を回転させた場合、最前方の車輪付吸水ローラー２１の保水ユニット１、１・・・から水を吸収して保水するが、吸収されずに側面から後方に流れた滞留水１５は二番目の車輪付吸水ローラー２１の保水ユニット１、１・・・によって吸収して保水することが出来る。このように複数の車輪付吸水ローラー２１、２１・・・を設けることによって滞留水１５の吸水量を多くして保水させて除水することが出来る。
【００５４】
実施の形態の一例として、図８に示しているように本発明５は実施例２の車輪付吸水ローラー２１を平行に複数本間隔を空けて並べて設けている点が構造的に実施例４とは異なっているが、保水ユニット１の各部位の寸法、材質、使用方法等は実施例４と同様である。
【実施例６】
【００５５】
実施の形態の一例として、図８（本発明５と外観は同一である）は本発明６の説明図である。上記パイプ固定車輪付吸水ローラー２２を平行に複数本間隔を空けて並べ、上記軸５、５・・・の車輪１３、１３・・・より其々突出している両端の突出部１０、１０・・・をローラー接続板８、８で接続し、このローラー接続板８、８の一箇所に、握り棒６の先端に取り付けた水平の横棒７の両端から垂下した垂下片９、９の先端を回動自在に軸支して配設したことで構成されている。
【００５６】
実施の形態の一例として、図８に示しているようにパイプ固定車輪付ローラー２２を平行に複数本間隔を空けて並べ、軸５、５・・・の突出部１０、１０・・・をローラー接続板８、８で接続し、このローラー接続板８、８の一箇所に、握り棒６の先端に取り付けた水平の横棒７の両端から垂下した垂下片９、９に回転自在にして軸支している。この本発明６の握り棒６を持って地面に強く押さえながら滞留水１５の中を回転させた場合、最前方のパイプ固定車輪付ローラー２２の保水ユニット１、１・・・から水を吸収して保水するが、吸収されずに側面から後方に流れた滞留水１５は二番目のパイプ固定車輪付ローラー２２の保水ユニット１、１・・・によって吸収して保水することが出来る。このように複数のパイプ固定車輪付ローラー２２、２２・・・を設けることによって滞留水１５の吸水量を多くして保水させて除水することが出来る。本発明６は実施例３のパイプ固定車輪付ローラー２２を平行に複数本間隔を空けて並べて設けている点が構造的に実施例５とは異なっているが、保水ユニット１の各部位の寸法、材質、使用方法等は実施例５と同様である。
【実施例７】
【００５７】
実施の形態の一例として、図９は本発明７の説明図である。上記ローラー接続板８、８と上記垂下片９、９が固定して接続されていて、垂下片９、９と上記横棒７とが回動自在に軸支されているか、又はローラー接続板８、８と垂下片９、９と横棒７が固定されていて、横棒７と握り棒６とが回動自在に軸支されていることで構成されている。
【００５８】
実施の形態の一例として、図８に示しているのはローラー接続板８、８と垂下片９、９を固定的に接続して、握り棒６を取り付けた横棒７の両端に回動部１６設け回動自在に軸支しているものである。本発明７の握り棒６を持ち複数設けた吸水ローラー１１、１１・・・又は車輪付吸水ローラー２１、２１・・・又はパイプ固定車輪付ローラー２２、２２・・・を窪みに溜まっている滞留水１５の中に押し付けるようにして転がした場合、押さえる力の加減によって多数の保水ユニット１、１・・・によって多量の滞留水１５を吸収して保水することが出来る。本発明７の各部位の寸法、材質等は実施例１〜６と同様のものを用いている。実施例７はこのように構成されているので、この車輪付吸水ローラー２１又はパイプ固定車輪付ローラー２２の保水ユニット１、１・・・を交換する時には一方の垂下片９とローラー接続板８とを外し、車輪１２、１２・・・又は車輪１３、１３・・・を外し、パイプ３から保水ユニット１、１・・・を外して交換すれば良い。
【実施例８】
【００５９】
実施の形態の一例として、図１０、図１１、図１２は本発明８の斜視図であり、図１３は説明図である。上記連接した保水ユニット１、１・・・の各々の保水ユニット１の直径が変っているか或いは形状が変形していることで構成されている。
【００６０】
図１０に示しているのは直径の大きさを変えた保水体２に網状体を被せた保水ユニット１の最も直径の大きい保水ユニット１を中央部に設け、この両側には直径の小さい保水ユニット１を複数個連設したものである。中央部に設けた直径の大きい保水ユニット１を滞留水１５の中の最も深い窪みに押し付けた状態を図１３に示している。単独の保水ユニット１は長さが短く小さいので保水体２は変形し易く強い押し圧１９によって、深い窪みの底にも密着し易く窪みの中の全ての滞留水１５を除水することが出来る。
【００６１】
実施の形態の一例として、図１０に示すように中央部には長さ１８ｃｍ、直径１７ｃｍの円筒状の保水ユニット１を１個設け、この両側には長さ１８ｃｍ、直径１５ｃｍの円筒状の保水ユニット１をそれぞれ一個設け、この両側には長さ１８ｃｍ、直径１３ｃｍの円筒状の保水ユニット１をそれぞれ一個設けた本発明８の車輪付ローラー除水具で小さい窪みの多い滞留水１５の中を押し流すようにした場合、直径の大きいローラーの中央部に強い押し圧１９が加わるので、窪みの中の全ての滞留水１５を一度に除水することが出来た。
【００６２】
実施の形態の一例として、図１１に示しているのは中央部に円筒形の保水ユニット１を設け、その両側には円錐台に成型したものを複数個連設したものであり、これに網状体を被って変形の保水ユニット１にしたものである。中央部には長さ１８ｃｍ、直径１７ｃｍの円筒状の保水ユニット１を１個設け、この両側には長さ１８ｃｍ、直径１７ｃｍから１５ｃｍに外周面が斜めになった円錐台の保水ユニット１をそれぞれ一個設け、この両側には長さ１８ｃｍ、直径１５ｃｍから１３ｃｍに外周面が斜めになった円錐台の保水ユニット１をそれぞれ一個設けた本発明８のローラー除水具で小さい窪みの多い滞留水１５の中を押し流すようにした場合、直径の大きいローラーの中央部に強い押し圧１９が加わるので、窪みの中の全ての滞留水１５を一度に除水することが出来た。
【００６３】
実施の形態の一例として、図１２に示しているのは中央部に円筒形の保水ユニット１を設け、その両側には円錐台に成型したものを複数個連設したものであり、これに網状体を被って変形の保水ユニット１にしたものである。中央部には長さ１８ｃｍ、直径１７ｃｍの円筒状の保水ユニット１を１個設け、この両側には長さ１８ｃｍ、直径１７ｃｍから１５ｃｍに外周面が斜めになった円錐台の保水ユニット１をそれぞれ一個設け、この両側には長さ１８ｃｍ、直径１５ｃｍから１３ｃｍに外周面が斜めになった円錐台の保水ユニット１をそれぞれ一個設けた本発明８の車輪付ローラー除水具で小さい窪みの多い滞留水１５の中を押し流すようにした場合、図１３に示すように直径の大きいローラーの中央部に強い押し圧１９が加わるので、窪みの中の全ての滞留水１５を一度に除水することが出来た。
【実施例９】
【００６４】
実施の形態の一例として、図１４は本発明９の斜視図であり、図１５、図１６は説明図である。上記連接した保水ユニット１、１・・・の代わりに細長い円筒状の保水体２であって、両端から中央部に徐々に円筒状の径を大きくしてロング保水体１８とし、このロング保水体１８の両側面と外周面を網状体で被って変形吸水ローラー２０とし、この変形吸水ローラー２０を上記パイプ３の外周に配設したことで構成されている。
【００６５】
図１５に示しているのは変形吸水ローラー２０で滞留水の中の地面１４の深い窪みに密着している状態である。ロング保水体１８の中央部の直径の大きな部分を深い窪みに押し込んだ場合、ロング保水体１８の厚みと車輪１２、１３の外径より突出している部分によって強い押し圧１９となり深い窪みの滞留水１５を除水することが出来る。図１６に示しているロング保水体１８は一体成型したものであり外周面は緩やかに湾曲しているが円錐台にしたものでも良い。
【００６６】
本発明１、本発明２、本発明３、本発明８、本発明９はコンパクトで軽く簡単に持ち運ぶことができ、誰にでも比較的小さなパワーで簡単に除水作業が出来るので、グランドなど多く人の協力が得られる場所では、広範囲の除水作業を短時間ですることが出来る。特に冬期の水の冷たい時期の作業は水に手を触れることなくすることが出来るので、大変便利である。
【００６７】
実施の形態の一例として、本発明１〜９は通常グランドなどの砂地で使用するが、ゴルフ場のグリーン上やフェアウエーで使用することが出来る。グリーン上で使用する場合は芝の隙間に保水ユニット１が密着して入り芝の隙間の水も押し出すことができる。駅伝やマラソンの時の雨上がりの道路上には滞留水が多く残っている場合をよく見ることがある。微妙に窪みのある道路の滞留水１５も吸水ローラー１１又は車輪付吸水ローラー２１又はパイプ固定車輪付吸水ローラー２２を一回で押し流して取り除くことが出来る。そして街中の人通りの多い場所でも雨上がりの後には滞留水１５のある場所も多く見られる。このような場合も簡単に除水することが出来る。またコンクリート打設後のブリージング水の回収、洪水後の後始末などの除水作業も可能である。面積の大きい水槽に浅く溜まった滞留水１５を一方側に寄せながら除水することも簡単に出来る。大きさは自由に製作することが出来るので、小型のものを造ることによって子供でも安全に使用することが出来る。そして本体やローラーの耐薬品性のある素材を選ぶことによって、人が手を触れる事が出来ない薬液の回収など、使用する環境に応じて幅広く利用することが出来るものである。
【図面の簡単な説明】
【００６８】
【図１】本発明１の実施の形態の一例を示す斜視図である。
【図２】本発明１の図１のA−Aの部分縦断面図である。
【図３】本発明１の実施の形態の一例を示す説明図である。
【図４】本発明２及び３の実施の形態の一例を示す斜視図である。
【図５】本発明２の図４のB−Bの部分縦断面図である。
【図６】本発明３の図４のC−Cの部分縦断面図である。
【図７】本発明４の実施の形態の一例を示す斜視図である。
【図８】本発明５及び６の実施の形態の一例を示す斜視図である。
【図９】本発明７の実施の形態の一例を示す斜視図である。
【図１０】本発明８の実施の形態の一例を示す斜視図である。
【図１１】本発明８の実施の形態の一例を示す説明図である。
【図１２】本発明８の実施の形態の一例を示す斜視図である。
【図１３】本発明８の実施の形態の一例を示す説明図である。
【図１４】本発明９の実施の形態の一例を示す斜視図である。
【図１５】本発明９の実施の形態の一例を示す説明図である。
【図１６】本発明９の実施の形態の一例を示す説明図である。
【符号の説明】
【００６９】
１    保水ユニット
２    保水体
３    パイプ
４    軸受け
５    軸
６    握り棒
７    横棒
８    ローラー接続板
９    垂下片
１０    突出部
１１    吸水ローラー
１２    車輪
１３    車輪
１４    地面
１５    滞留水
１６    回動部
１７    隙間
１８    ロング保水体
１９    強い押し圧
２１    車輪付吸水ローラー
２２    パイプ固定車輪付吸水ローラー
【図１】
2006328832.tif 000003
【図２】
2006328832.tif 000004
【図３】
2006328832.tif 000005
【図４】
2006328832.tif 000006
【図５】
2006328832.tif 000007
【図６】
2006328832.tif 000008
【図７】
2006328832.tif 000009
【図８】
2006328832.tif 000010
【図９】
2006328832.tif 000011
【図１０】
2006328832.tif 000012
【図１１】
2006328832.tif 000013
【図１２】
2006328832.tif 000014
【図１３】
2006328832.tif 000015
【図１４】
2006328832.tif 000016
【図１５】
2006328832.tif 000017
【図１６】
2006328832.tif 000018
【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
外周に円筒状の複数の保水体（２）を並べて設け、この保水体（２）は端部から中央部にかけて直径が大きくなっている保水体（２）であり、この保水体（２）の両側面と外周面を網状体で被った保水ユニット（１）を、複数個隣と接触する状態で連設したパイプ（３）の両端に軸受け（４、４）を設け、この両軸受け（４、４）の間に軸（５）を掛け渡して吸水ローラー（１１）とし、この軸（５）の軸受け（４、４）より其々突出している両端の突出部（１０、１０）に、握り棒（６）の先端に取り付けた水平の横棒（７）の両端から垂下した垂下片（９、９）の先端を回動自在に軸支して配設したことを特徴とするローラー除水具。
【請求項２】
上記軸（５）の軸受け（４、４）より其々突出している両端の突出部（１０、１０）に、上記パイプ（３）の外径より大きく保水ユニット（１）の外径より小さな外径の車輪（１２、１２）を回転自在に設けて車輪付吸水ローラー（２１）としたことを特徴とする請求項１記載のローラー除水具。
【請求項３】
外周に円筒状の複数の保水体（２）を並べて設け、この保水体（２）は端部から中央部にかけて直径が大きくなっている保水体（２）であり、この保水体（２）の両側面と外周面を網状体で被った保水ユニット（１）を、複数個隣と接触する状態で連設したパイプ（３）の両端に、このパイプ（３）の外径より大きく保水ユニット（１）の外径より小さな外径の車輪（１３、１３）をパイプ（３）の両端面に嵌合するようにして設け、この車輪（１３、１３）の中心に軸（５）を設けてパイプ固定車輪付吸水ローラー（２２）とし、この軸（５）より其々突出している両端の突出部（１０、１０）に、握り棒（６）の先端に取り付けた水平の横棒（７）の両端から垂下した垂下片（９、９）の先端を回動自在に軸支して配設したことを特徴とするローラー除水具。
【請求項４】
上記連接した保水ユニット（１、１・・・）の代わりに、両端から中央部に徐々に円筒状の直径を大きくしてロング保水体（１８）とし、このロング保水体（１８）の両側面と外周面を網状体で被って、上記パイプ（３）の外周に配設したことを特徴とする請求項１〜３のいずれかに記載のローラー除水具。
【手続補正２】
【補正対象書類名】明細書
【補正対象項目名】全文
【補正方法】変更
【補正の内容】
【発明の詳細な説明】
【技術分野】
【０００１】
本発明は、野球場、サッカー場、スポーツグランド、テニスコート、ゴルフ場、路面、建設現場のコンクリート上、水槽等の滞留水を除水する方法に関するものである。
【背景技術】
【０００２】
従来、滞留水を除水する方法としては、細長い長方形のゴムを立てたものに取手を取り付けた用具やゴム製のローラーで滞留水を押し流して排水場所に除水している。実願平６−４７３０号のドラムの外周にスポンジを取り付け、圧縮用ゴムローラーによって水を搾り出してタンクに溜める形式のものは装置が大きくて重量も重く、水の回収量も比較的少なくスポンジの交換に時間を要するものである。実願平６−４７３０号の握り棒の先端に取り付けたコ字状の枠に吸水性の円筒状のスポンジを支持させた吸水ローラーは、吸水体に水を吸収させた後、その吸水体を立てにして押子部材を軸方向に圧縮させることによって排水させるものである。また出願人が先に特願２００２−２２２４９０号では吸収した水を加圧体に足を乗せて排水することができる吸排水ローラーを提案しているが、排水時にローラーを上方から圧縮するため、ローラーが楕円形に変形してスムーズに回転することが出来なくなる問題点がある。
【０００３】
【特許文献１】実願平５−１２６０３号
【特許文献２】実願平６−４７３０号
【特許文献３】特願２００２−２２２４９０号
【発明の開示】
【発明が解決しようとする課題】
【０００４】
野球場、サッカー場、スポーツグランド、テニスコート、ゴルフ場、路面、建設現場のコンクリート上、水槽等の滞留水の中には１０ｃｍ位の深い部分も存在し除水量は想像以上に多く、人手によって運ぶには大変重いものである。特に冬期の作業は水が冷たいため敬遠される作業である。短時間に最も簡単に滞留水を除水する方法としては、近くの側溝や排水場所に水を押し流していく方法である。円筒形の一体型のローラーは空気が抜け難く凹凸の多い地面には適さないので、地面の凹凸に影響されずに前方へ水を逃がさずに押し続けることが出来る構造のもであり、複数のユニット、複数のローラーを取り付けた構造である事が必要である。またローラー本体が水を吸収して保水できる素材であり、保水の状態を持続し保水量が多い事も大切である。そして吸収した水を簡単に排水できる構造でなければならない。
【０００５】
本発明は、広範囲に点在する滞留水を比較的小さなパワーで、四季を問わず誰にでも楽な姿勢で水に触れることなく、滞留水を効率よく押し流して吸収して保水し、そして保水した水を簡単に搾水できる構造にすることを課題としたものである。
【課題を解決するための手段】
【０００６】
本発明の請求項１記載のローラー除水具（以下、本発明１という）は、外周に円筒状の複数の保水体２を並べて設け、この保水体２は端部から中央部にかけて直径が大きくなっている保水体２であり、この保水体２の両側面と外周面を網状体で被った保水ユニット１を複数個隣と接触する状態で連設したパイプ３の両端に軸受け４、４を設け、この両軸受け４、４の間に軸５を掛け渡して吸水ローラー１１とし、この軸５の軸受け４、４より其々突出している両端の突出部１０、１０に、握り棒６の先端に取り付けた水平の横棒７の両端から垂下した垂下片９、９の先端を回動自在に軸支して配設したことを特徴としている。
【０００７】
本発明１で言う端部から中央部にかけて直径が大きくなっている保水体２とは図１１に示すように保水体２の形状が円錐台や外周が緩やかに湾曲している状態を言う。そしてこの保水体２に網状体を被せて一個の保水ユニット１としている。本発明１で言う隣と接触する状態とは保水ユニット１、１・・・を回転させた時に保水ユニット１の間が接触している状態になることである。保水体２の材質としては滞留水を吸収して保水するものであれば良くスポンジ、吸水性のある布、糸など網状体で被うことが出来るものであり、パイプ３の外周に設けることが出来るものである。網状体は通水性のあるメッシュ、不織布など薄いものを言う。軸５を両端の軸受け４、４部分の長さだけにして垂下片９、９の先端に設けることも出来る。
【０００８】
かかる構成により、図１に示すように本発明１の握り棒６を持ち吸水ローラー１１で滞留水１５の中を押し流すようにして回転させた場合、直径の大きな中央部を滞留水１５の最も深い部分に密着させることが出来るので、複数の保水ユニット１、１・・・の外周面と両側面に網状体を被せて生じた隙間１７から滞留水１５を吸収し保水することが出来るものである。
【０００９】
本発明の請求項２記載のローラー除水具（以下、本発明２という）は、上記軸５の軸受け４、４より其々突出している両端の突出部１０、１０に、上記パイプ３の外径より大きく保水ユニット１の外径より小さな外径の車輪１２、１２を回転自在に設けて車輪付吸水ローラー２１としたことを特徴としている。
【００１０】
かかる構成により、図３に示すように本発明２の握り棒６を持ち車輪付吸水ローラー２１で滞留水１５の中を押し流すようにして回転させた場合、複数の保水ユニット１、１・・・の外周面と両側面に網状体を被せて生じた複数の隙間１７、１７・・・から滞留水１５を吸収し、柔軟になった保水ユニット１、１・・・が変形するのを回動自在に設けた車輪１２、１２によって制限して保水ユニット１、１・・・で保水することが出来るものである。
【００１１】
本発明の請求項３記載のローラー除水具（以下、本発明３という）は、外周に円筒状の複数の保水体２を並べて設け、この保水体２は端部から中央部にかけて直径が大きくなっている保水体２であり、この保水体２の両側面と外周面を網状体で被った保水ユニット１を、複数個隣と接触する状態で連設したパイプ３の両端に、このパイプ３の外径より大きく保水ユニット１の外径より小さな外径の車輪１３、１３をパイプ３の両端面に嵌合するようにして設け、この車輪１３、１３の中心に軸５を設けてパイプ固定車輪付吸水ローラー２２とし、この軸５より其々突出している両端の突出部１０、１０に、握り棒６の先端に取り付けた水平の横棒７の両端から垂下した垂下片９、９の先端を回動自在に軸支して配設したことを特徴とするローラー除水具。
【００１２】
かかる構成により、図６に示すように本発明３の握り棒６を持ちパイプ固定車輪付ローラー２２で滞留水１５の中を押し流すようにして回転させた場合、複数の保水ユニット１、１・・・の外周面と両側面に網状体を被せて生じた複数の隙間１７、１７・・・から滞留水１５を吸収し、柔軟になった保水ユニット１、１・・・が変形するのを回動自在に設けた車輪１３、１３によって制限して保水ユニット１、１・・・に保水することが出来るものである。
【００１３】
本発明の請求項４記載のローラー除水具（以下、本発明４という）は、上記連接した保水ユニット１、１・・・の代わりに、両端から中央部に徐々に円筒状の直径を大きくしてロング保水体１８とし、このロング保水体１８の両側面と外周面を網状体で被って、上記パイプ３の外周に配設したことを特徴としている。
【００１４】
本発明４で言う両端から中央部に徐々に円筒状の径を大きくしてとは、円錐台か緩やかに湾曲した形状にしたものである。そしてロング保水体１８は一体成型したものか又は分割して成型したものを複数個設けたものでも良い。
【００１５】
かかる構成により、図９に示すように本発明４の握り棒６を持ち変形吸水ローラー２０を滞留水１５の中を押し流すようにして回転させた場合、ロング保水体１８の直径の大きな中央部を滞留水１５の中の深い窪みに強い押し圧１９で密着させた後の強い吸水力によってロング保水体１８の外周面から多量の滞留水１５を吸収し保水することが出来るものである。
【発明の効果】
【００１６】
本発明１の効果として、図１に示すように本発明１の中央部の保水ユニット１の直径を大きくしている吸水ローラー１１を窪みに溜まっている滞留水１５の中に押し付けるようにして転がした場合、最も深い窪みの底に対して強い押し圧１９で密着させることが出来るので、吸水力が増大し保水ユニット１の外周面と隣の側面との間に網状体によって生じた複数の隙間１７、１７・・・から空気、水の流出入が容易となり多量の滞留水１５を吸収して保水量を増やすことが出来るものである。
【００１７】
本発明２の効果として、図３に示すように本発明２の握り棒１を持ち軸受け４、４の外側に車輪１２、１２を設けた車輪付吸水ローラー２１を窪みに溜まっている滞留水１５の中に押し付けるようにして転がした場合、複数の保水ユニット１、１・・・は車輪１２、１２の外径より内側に圧縮されることはなく、車輪１２、１２の外径より外側に突出している部分の弾力性によって、最も深い窪みの底の形に密着させることが出来るので、吸水力が増大し保水ユニット１の外周面と隣の側面との間に網状体によって生じた複数の隙間１７、１７・・・から空気、水の流出入が容易となり多量の滞留水１５を吸収して保水量を増やすことが出来るものである。
【００１８】
本発明３の効果として、図６に示すように本発明３の握り棒１を持ちパイプ３の両端面に車輪１３、１３を嵌合させて設けたパイプ固定車輪付ローラー２２を窪みに溜まっている滞留水の中に押し付けるようにして転がした場合、保水ユニット１は車輪１３、１３の外径より内側に圧縮されることはなく、車輪１３、１３の外径より外側に突出している部分の弾力性によって、最も深い窪みの底の形に密着させることが出来るので、吸水力が増大し保水ユニット１の外周面と隣の側面との間に網状体によって生じた複数の隙間１７、１７・・・から空気、水の流出入が容易となり多量の滞留水１５を吸収して保水量を増やすことが出来るものである。
【００１９】
本発明４の効果として、図９に示すように本発明４の変形吸水ローラー２０を窪みに溜まっている滞留水１５の中に押し付けるようにして転がした場合、図１０に示すように中央部の直径が大きいロング保水体１８は深い窪みの底に強い押し圧１９で密着させることが出来るので、強い押し圧１９で押した後の中央部の直径が大きいロング保水体１８は空気、水の流出入の量が多くなり滞留水１５を吸収し易く保水量を増やすことが出来るものである。
【発明を実施するための最良の形態】
【００２０】
外周に円筒状の複数の保水体２を並べて設け、この保水体２は端部から中央部にかけて直径が大きくなっている保水体２であり、この保水体２の両側面と外周面を網状体で被った保水ユニット１を複数個隣と接触する状態で連設したパイプ３の両端に、このパイプ３の外径より大きく保水ユニット１の外径より小さな外径の車輪１３、１３をパイプ３の両端面に嵌合するようにして設け、この車輪１３、１３の中心に軸５を設けたパイプ固定車輪付ローラー２２を握り棒６の先端に取り付けた水平の横棒７の両端から垂下した垂下片９、９の先端を回動自在に軸支して配設したことである。
【実施例１】
【００２１】
実施の形態の一例として、図１は本発明１の斜視図であり、図２は図１のA−A部分縦断面図であり、図５は説明図である。外周に円筒状の複数の保水体２を並べて設け、この保水体２は端部から中央部にかけて直径が大きくなっている保水体２であり、この保水体２の両側面と外周面を網状体で被った保水ユニット１を複数個隣と接触する状態で連設したパイプ３の両端に軸受け４、４を設け、この両軸受け４、４の間に軸５を掛け渡して吸水ローラー１１とし、この軸５の軸受け４、４より其々突出している両端の突出部１０、１０に、握り棒６の先端に取り付けた水平の横棒７の両端から垂下した垂下片９、９の先端を回動自在に軸支して配設したことで構成されている。
【００２２】
本発明１は図２に示すように吸水ローラー１１のパイプ３の両端に設けた軸受け４、４の中心に軸５を設けることによって、複数の保水ユニット１、１・・・自体には軸５との間の回転による摩耗部分はなく長期間に亘り滞留水１５の中を安定して回転させることが出来る。そして端部から中央部にかけて直径が大きくなっている円筒状の保水体２、２・・・の両側面と外周面を網状体で被った保水ユニット１、１・・・を隣と軽く接触させる状態にして設けたことによって図５に示すように保水ユニット１の側面と隣接する側面の間には二枚の網状体によって隙間１７が生じるので、この隙間１７からの保水体２を圧縮した時に出る空気と吸排水する水の流出入を容易にさせて、滞留水１５を吸収する面積も大きくなり保水量を増やすことが出来る。また網状体は滞留水１５を吸収する時に地面や路面のゴミ、砂、小石などの進入を阻止し保水体２の目詰まりを防止することや外周面の摩耗を防ぐことが出来る。
【００２３】
本発明１を使用して除水する方法は滞留水の量によって異なる。滞留水１５の量が少なく点在している場合は、握り棒６を持ち押していくか引っ張りながら滞留水１５の中を移動させるだけで中央部の保水ユニット１の直径を大きくしている吸水ローラー１１の保水ユニット１、１・・・で吸収して保水させることが出来る。そして本発明１を別の滞留水１５の場所に移動して行く間に、保水していた水は滞留水１５のない乾いた地面に徐々に流れ出るので、自然に蒸発することを利用することになり、再び滞留水１５を吸収させることが出来る。これらの作業を繰り返すことによって効率的に除水作業をすることが出来る。滞留水１５の存在する状況に応じて吸水ローラー１１を前後動させて吸水させたり、押しながら移動して吸水させたり、滞留水１５だけを押し流すことも出来る。
【００２４】
また滞留水１５の量が多い場合は、握り棒６を地面に強く押さえながら滞留水１５の中を回転させると中央部の保水ユニット１の直径を大きくしている吸水ローラー１１の保水ユニット１、１・・・は水を吸収して柔軟になり水の重さにより変形することになる。この変形した状態は地面に密着する面積が大きくなるので、吸水ローラー１１で側溝まで押し流して除水するか、滞留水のない別の広い地面に水を押し流して自然に蒸発させることが出来る。
【００２５】
本発明１の中央部の保水ユニット１の直径を大きくしている吸水ローラー１１で吸収した水が保水体２、２・・・内に保水している状態は、保水体２、２・・・内の滞留水が地面に残っている量によって変わる。地面に滞留水１５が残っている場合は、回転を続けることによって保水体２、２・・・内の水の吸水量と流出量が同量になり、保水量を最大に保つことが出来る。滞留水１５が地面に残っていない場合は、保水体２自体の可能な保水量以外は自然に流れ出すことになる。吸収した保水体２、２・・・内に溜まっている水は常に下に流れ落ちようとしているので、保水体２、２・・・の最下部で吸収した水を保水するためには、保水体２、２・・・の最下部に落ちてきた水を保水体２、２・・・から外に流れ出る前に適当な回転をさせる必要がある。
【００２６】
本発明１の排水法としては、水を吸収した状態で握り棒６を持ち吸水ローラー１１を立てることによって保水していた水は保水体２、２・・・の中を下方に流れ落ちると同時に保水ユニット１、１・・・も水の重さで下方に下がる。これは水の重量が保水ユニット１、１・・・より重いためであり、この状態の保水ユニッ１、１・・・を上から手で押さえることによって水を簡単に搾り出すことが出来る。実施の形態の一例として、底面に複数の貫通穴を設けた吸水ローラー１１の入る容器の下面にバケツが入る高さの４本の足を取り付け、この容器の上に本発明１の吸水ローラー１１を立てて乗せ、保水ユニット１、１・・・だけを上から押さえてバケツの中に搾水し、そのバケツを排水場所まで運ぶ方法もある。水の冷たい時期にはゴム手袋をはめて行えば簡単に出来る。そして立てていた吸水ローラー１１を元の水平に戻して再び回転させる時には複数の短い保水ユニット１、１・・・になっているので全体に広がり易い。
【００２７】
実施の形態の一例として、本発明１の握り棒６は直径３ｃｍの長さ１ｍ５０ｃｍの木製のもので、横棒７は厚み１．２ｍｍの２．５ｃｍ×３．２ｃｍの角パイプを使用し長さは９７０ｃｍである。パイプ３は外径６ｃｍ、厚み２ｍｍ、長さ９３ｃｍの材質は塩ビ製であるがステンレス製でも良い。保水体２は中央部には長さ１８ｃｍ、直径１７ｃｍの円筒状の保水ユニット１を１個設け、この両側には長さ１８ｃｍ、直径１５ｃｍの円筒状の保水ユニット１をそれぞれ一個設け、この両側には長さ１８ｃｍ、直径１３ｃｍの円筒状の保水ユニット１それぞれ一個設けている。この保水ユニット１はウレタン系のスポンジであり、この保水体２の外周面と両側面に網状体としてポリエステル、ナイロンなどの合成繊維を被せたものが保水ユニット１である。軸受け４、４の材質は日本ポリペンコのエンジニアリングプラスチックＭＣ−Ｅナイロン製車輪の直径６．５ｃｍをパイプ３の内径に合わせて加工して取り付け、軸６は直径１．２ｃｍの厚み１ｍｍのステンレスのパイプを使用している。上記のように製作した吸水ローラー１１でグランドに点在する滞留水の中に握り棒６を押さえながら回転させたところ、サッカーの試合後の荒れた地面の滞留水１５も保水ユニット１、１・・・で綺麗に吸い取ることが出来た。握り棒６の他の材質として、ステンレス、鉄、アルミ、合成樹脂などパイプで握り易いものが良い。横棒７の他の材質としては鉄、合成樹脂、アルミなど保水体２を地面に押し付けるだけの強度があれば良い。
【実施例２】
【００２８】
実施の形態の一例として、図３（本発明３と外観は同一である）は本発明２の斜視図であり、図４は図３のB−Bの部分縦断面図である。上記軸５の軸受け４、４より其々突出している両端の突出部１０、１０に、上記パイプ３の外径より大きく保水ユニット１の外径より小さな外径の車輪１２、１２を回転自在に設けて車輪付吸水ローラー２１としたことで構成されている。
【００２９】
実施の形態の一例として、本発明２は図４に示すように外周に端部から中央部にかけて直径が大きくなっている円筒状の保水体２の両側面と外周面に網状体を被せた円筒状の複数の保水ユニット１、１・・・を設けたパイプ３の両端に軸受け４、４を設け、この軸受け４、４の外側に車輪１２、１２・・・を設けたものであり、握り棒６の先端に取り付けた水平の横棒７の両端から垂下した垂下片９、９に軸５を回動自在にして軸支しているものである。
【００３０】
本発明２の握り棒６を持って地面に強く押さえながら滞留水１５の中を回転させた場合、車輪１２、１２と保水ユニット１、１・・・は別の回転をする。そして図５に示すように中央部の保水ユニット１の直径を大きくしている保水ユニット１、１・・・は車輪１２、１２の外径より内側に圧縮させることはなく、保水ユニット１、１・・・の特性である弾力性によって一定の押し圧で地面１４に密着することになるので、様々な窪みの地形に柔軟に対応して滞留水１５を窪みから取り除く事が出来る。車輪付吸水ローラー２１を前後動させて吸水させたり、押しながら移動して吸収させたり、滞留水１５だけを押し流すことも出来る。
【００３１】
図４に示しているのは直径の大きさを変えた保水体２に網状体を被せた保水ユニット１の最も直径の大きい保水ユニット１を中央部に設け、この両側には直径の小さい保水ユニット１を複数個連設したものである。中央部に設けた直径の大きい保水ユニット１を滞留水１５の中の最も深い窪みに押し付けた状態を図８に示している。単独の保水ユニット１は長さが短く小さいので保水体２は変形し易く強い押し圧１９によって、深い窪みの底にも密着し易く窪みの中の全ての滞留水１５を除水することが出来る。
【００３２】
実施の形態の一例として本発明２は軸受け４、４の外側に回転自在に車輪１２、１２・・・を設けた点が構造的に実施例１とは異なっているが、吸水ローラー１１の各部位の寸法、材質等は実施例１と同一である。車輪１２、１２の材質は日本ポリペンコのエンジニアリングプラスチックＭＣ−Ｅナイロンの外径１０ｃｍのものを使用している。実施例２はこのように構成されているので、長期間使用しても保水ユニット１には車輪１２、１２の直径より内側に変形しないので、劣化し難く耐久性にも優れている。この車輪付吸水ローラー２１の保水ユニット１を交換する時には一方の垂下片９を取り外せるようにして取り付け、車輪１２を外しパイプ３から保水ユニット１、１・・・を外して交換すれば良い。
【実施例３】
【００３３】
実施の形態の一例として、図６（本発明２と外観は同一である）は本発明３の斜視図であり、図７は図６のC−Cの部分縦断面図である。外周に円筒状の複数の保水体２を並べて設け、この保水体２は端部から中央部にかけて直径が大きくなっている保水体２であり、この保水体２の両側面と外周面を網状体で被った保水ユニット１を、複数個隣と接触する状態で連設したパイプ３の両端に、このパイプ３の外径より大きく保水ユニット１の外径より小さな外径の車輪１３、１３をパイプ３の両端面に嵌合するようにして設け、この車輪１３、１３の中心に軸５を設けてパイプ固定車輪付吸水ローラー２２とし、この軸５より其々突出している両端の突出部１０、１０に、握り棒６の先端に取り付けた水平の横棒７の両端から垂下した垂下片９、９の先端を回動自在に軸支して配設したことで構成されている。
【００３４】
実施の形態の一例として、図６に示しているように外周に中央部の保水ユニット１の直径を大きくしている円筒状の複数の保水ユニット１、１・・・設けパイプ３の両端に車輪１３、１３を嵌合して設けているので、車輪１３、１３と保水ユニット１、１・・・は同時に回転する。このパイプ固定車輪付ローラー２２を、握り棒６の先端に取り付けた水平の横棒７の両端から垂下した垂下片９、９に回転自在にして軸支している。
【００３５】
本発明３は車輪１３、１３を嵌合して設けている点が構造的に実施例２とは異なっているが、各部位の寸法、材質、使用方法等は実施例２と同様である。実施例３はこのように構成されているので、この保水ユニット１を交換する時には一方の垂下片９を外し、嵌合している車輪１３を外して保水ユニット１を交換すれば良い。
【００３６】
実施の形態の一例として、図７に示しているのは中央部に保水ユニット１の直径を大きくしている円筒形の保水ユニット１を設け、その両側には円錐台に成型したものを複数個連設したものであり、これに網状体を被って保水ユニット１にしたものである。中央部には長さ１８ｃｍ、直径１９ｃｍの円筒状の保水ユニット１を１個設け、この両側には長さ１８ｃｍ、直径１９ｃｍから１７ｃｍに外周面が斜めになった円錐台の保水ユニット１をそれぞれ一個設け、この両側には長さ１８ｃｍ、直径１７ｃｍから１５ｃｍに外周面が斜めになった円錐台の保水ユニット１をそれぞれ一個設けた本発明３のローラー除水具で小さい窪みの多い滞留水１５の中を押し流すようにした場合、直径の大きいローラーの中央部に強い押し圧１９が加わるので、窪みの中の全ての滞留水１５を一度に除水することが出来た。
【実施例４】
【００３７】
実施の形態の一例として、図９は本発明４の斜視図である。上記連接した保水ユニット１、１・・・の代わりに、両端から中央部に徐々に円筒状の直径を大きくしてロング保水体１８とし、このロング保水体１８の両側面と外周面を網状体で被って、上記パイプ３の外周に配設したことで構成されている。
【００３８】
図１０に示しているのは変形吸水ローラー２０で滞留水の中の地面１４の深い窪みに密着している状態である。ロング保水体１８の中央部の直径の大きな部分を深い窪みに押し込んだ場合、ロング保水体１８の厚みと車輪１２、１３の外径より突出している部分によって強い押し圧１９となり深い窪みの滞留水１５を除水することが出来る。図１１に示しているロング保水体１８は一体成型したものであり外周面は緩やかに湾曲しているが円錐台にしたものでも良い。
【００３９】
本発明１〜４はコンパクトで軽く簡単に持ち運ぶことができ、誰にでも比較的小さなパワーで簡単に除水作業が出来るので、グランドなど多く人の協力が得られる場所では、広範囲の除水作業を短時間ですることが出来る。特に冬期の水の冷たい時期の作業は水に手を触れることなくすることが出来るので、大変便利である。
【００４０】
実施の形態の一例として、本発明１〜４は通常グランドなどの砂地で使用するが、サッカー場の芝生上、ゴルフ場のグリーン上やフェアウエーで使用することが出来る。グリーン上で使用する場合は芝の隙間に保水ユニット１が密着して入り芝の隙間の水も押し出すことができる。駅伝やマラソンの時の雨上がりの道路上には滞留水が多く残っている場合をよく見ることがある。微妙に窪みのある道路の滞留水１５も吸水ローラー１１又は車輪付吸水ローラー２１又はパイプ固定車輪付吸水ローラー２２を一回で押し流して取り除くことが出来る。そして街中の人通りの多い場所でも雨上がりの後には滞留水１５のある場所も多く見られる。このような場合も簡単に除水することが出来る。またコンクリート打設後のブリージング水の回収、洪水後の後始末などの除水作業も可能である。面積の大きい水槽に浅く溜まった滞留水１５を一方側に寄せながら除水することも簡単に出来る。大きさは自由に製作することが出来るので、小型のものを造ることによって子供でも安全に使用することが出来る。そして本体やローラーの耐薬品性のある素材を選ぶことによって、人が手を触れる事が出来ない薬液の回収など、使用する環境に応じて幅広く利用することが出来るものである。
【図面の簡単な説明】
【００４１】
【図１】本発明１の実施の形態の一例を示す斜視図である。
【図２】本発明１の図１のA−Aの部分縦断面図である。
【図３】本発明２の実施の形態の一例を示す斜視図である。
【図４】本発明２の図３のB−Bの部分縦断面図である。
【図５】本発明１及び２及び３の実施の形態の一例を示す説明図である。
【図６】本発明３の実施の形態の一例を示す斜視図である。
【図７】本発明３の図６のC−Cの部分縦断面図である。
【図８】本発明１及び２及び３の実施の形態の一例を示す説明図である。
【図９】本発明４の実施の形態の一例を示す斜視図である。
【図１０】本発明４の実施の形態の一例を示す説明図である。
【図１１】本発明４の実施の形態の一例を示す説明図である。
【符号の説明】
【００４２】
１    保水ユニット
２    保水体
３    パイプ
４    軸受け
５    軸
６    握り棒
７    横棒
９    垂下片
１０    突出部
１１    吸水ローラー
１２    車輪
１３    車輪
１４    地面
１５    滞留水
１７    隙間
１８    ロング保水体
１９    強い押し圧
２０    変形吸水ローラー
２１    車輪付吸水ローラー
２２    パイプ固定車輪付吸水ローラー
【手続補正３】
【補正対象書類名】図面
【補正対象項目名】全図
【補正方法】変更
【補正の内容】
【図１】
2006328832.tif 000019
【図２】
2006328832.tif 000020
【図３】
2006328832.tif 000021
【図４】
2006328832.tif 000022
【図５】
2006328832.tif 000023
【図６】
2006328832.tif 000024
【図７】
2006328832.tif 000025
【図８】
2006328832.tif 000026
【図９】
2006328832.tif 000027
【図１０】
2006328832.tif 000028
【図１１】
2006328832.tif 000029